(57)【要約】【課題】装置外部にオゾンを放出して医療器具等の殺菌対象物を燻蒸して殺菌を行う除菌装置において、より確実に除菌処理が行えるとともに、放出したオゾンを完全に回収して残留オゾンによる人体への影響の懸念のない除菌装置を提案する。【解決手段】オゾン発生器３４にて発生させたオゾンを撹拌ファン３６にて室内に供給して撹拌するためのオゾン撹拌層３２と、オゾン分解触媒３７と窒素酸化物吸収剤３８と吸引ファン３９を内装し、除菌処理後のオゾンを分解するためのオゾン分解層３８とを有する除菌装置であって、前記除菌装置のケース内に仕切３１を形成して複数の層を形成するとともに、前記オゾン撹拌層３２と前記オゾン分解層３３とを別層に設けた。【選択図】        図１１
2004201788.tif 000002
【特許請求の範囲】
【請求項１】
オゾン発生器にて発生させたオゾンを撹拌ファンにて室内に供給して撹拌するためのオゾン撹拌層と、除菌処理後のオゾンを分解する部材と吸引ファンを内装したオゾン分解層とを有する除菌装置であって、前記オゾン撹拌層とオゾン分解層とを除菌装置のケース内に設けた仕切体で仕切り別層に設けた、ことを特徴とする除菌装置。
【請求項２】
前記除菌装置は、オゾン攪拌運転モードと、オゾン分解運転モードからなる一連の運転モードを実行するための制御装置を備え、該制御装置は、予め設定された運転時間の経過後に、自動的に除菌装置の運転を停止させる、ことを特徴とする請求項１に記載の除菌装置。
【請求項３】
請求項１又は請求項２のいずれか１項に記載の除菌装置を備える除菌収容具であって、該除菌収容具は、除菌対象物品を収容する密閉空間を形成する、ことを特徴とする除菌装置を備える除菌収容具。
【請求項４】
前記除菌収容具は、解体又は折りたたみ可能なフレームと、該フレームを被覆するシートとで構成され、必要に応じて解体又は折りたたみ可能である、ことを特徴とする請求項３に記載の除菌収容具。
【請求項５】
前記オゾン発生器は各種殺菌効果を有する気体を発生可能に構成されることを特徴とする請求項１又は請求項２に記載の除菌装置。
【発明の詳細な説明】
【０００１】
【発明の属する技術分野】
本発明は、オゾンの酸化力や殺菌力を有効に利用する除菌装置と、該除菌装置を備える除菌収容具に関するものである。
【０００２】
【従来の技術】
従来から、オゾンには強力な酸化力や殺菌力があることが知られており、水処理関係、医療関係等、日常生活において幅広く利用されている。また、オゾンは高濃度になると有害物質となり、肺活量の低下や頭痛、気管支炎等、人体に影響を与える虞があるため、オゾンを利用した装置にはオゾン分解触媒等を設け、オゾンにより脱臭・殺菌を行うとともに、排出する空気内のオゾン濃度を減少させる技術が公知技術となっている。
【０００３】
例えば、特許文献１に示すように、空気の流動通路に沿って沿面放電型オゾナイザを設けて脱臭を行うとともに、該オゾナイザの下流側に活性炭やオゾン分解触媒等を設けることで、排出する空気内のオゾン濃度が安全値をこえないようにしたオゾン脱臭装置の技術が公開されている（例えば、特許文献１参照。）。
上記文献に開示されるところの技術は、外気を吸入して脱臭装置内部に取り込み、該装置内部にてオゾン脱臭もしくは空気中の細菌を殺菌処理し、処理後のオゾンを触媒にて分解し、放出するといった点で特に有効かつ優れた技術である。
【０００４】
【特許文献１】
特開平０６−６３１１１号公報
【０００５】
【発明が解決しようとする課題】
近年、ＭＲＳＡ院内感染等の問題が急速にとりだたされ、その感染症の脅威に対しての認識が高まりつつあり、また、ＨＡＣＣＰ（Ｈａｚａｒｄ  Ａｎａｌｙｓｉｓ  Ｃｒｉｔｉｃａｌ  Ｃｏｎｔｒｏｌ  Ｐｏｉｎｔ）の方式に則った食品衛生管理等についての認識も高まりつつある。特に、ＭＲＳＡに関しては、病室間や廊下、病棟間に持ち運ばれて使用させる医療機器、医師等の白衣、患者の使用するベッド等に付着した細菌の殺菌が問題となる。
そして、これらＭＲＳＡ等の対策においても、オゾン脱臭もしくは空気中の細菌の殺菌処理は有効であることから、発明者らは、オゾン特有の作用を有効に活用し、ＭＲＳＡ等の問題に対する対向措置となり得る除菌装置の開発を行った。
【０００６】
この除菌装置の開発にあたり、特に課題となったのは以下のものであった。
まず、オゾン特有の臭いと、残留オゾンによる人体への悪影響といった問題である。従来技術では、オゾン濃度を所定値以内に抑えることにより、この問題を解決しようとするものであるが、上述した医療機器等の除菌対象物品を確実に殺菌・除菌された状態とするには、高濃度オゾンの環境下にて、所定時間以上殺菌する必要がある。このように、人体への影響等の観点と、高濃度オゾンの環境下で殺菌する観点の両観点を同時に満たす必要があり、そのためには、除菌対象物品を収容する密閉空間を形成する必要がある。
また、高濃度オゾンの環境下による処理の後は、残留オゾンが人体に悪影響を及ぼすため、該残留オゾンを回収する必要がある。
また、除菌・殺菌処理の操作については、装置を利用する誰もが容易、しかも誤動作なく利用できるようにする必要がある。
また、病室などの限られたスペース内で除菌・殺菌処理を行うためには、必要に応じて除菌対象物品を収容する密閉空間を形成できるようにする必要がある。本発明は、以上に述べた点を課題として、オゾンによる確実な除菌・殺菌処理を行うべく新規な除菌装置及びそれを備える除菌収容具を提案するものである。
【０００７】
【課題を解決するための手段】
本発明の解決しようとする課題は以上のごとくであり、次にこの課題を解決するための手段を説明する。
【０００８】
即ち、請求項１においては、オゾン発生器にて発生させたオゾンを撹拌ファンにて室内に供給して撹拌するためのオゾン撹拌層と、除菌処理後のオゾンを分解する部材と吸引ファンを内装したオゾン分解層とを有する除菌装置であって、前記オゾン撹拌層とオゾン分解層とを除菌装置のケース内に設けた仕切体で仕切り別層に設けたものである。
【０００９】
請求項２においては、前記除菌装置は、オゾン攪拌運転モードと、オゾン分解運転モードからなる一連の運転モードを実行するための制御装置を備え、該制御装置は、予め設定された運転時間の経過後に、自動的に除菌装置の運転を停止させるものである。
【００１０】
請求項３においては、請求項１又は請求項２のいずれか１項に記載の除菌装置を備える除菌収容具であって、該除菌収容具は、除菌対象物品を収容する密閉空間を形成するものである。
【００１１】
請求項４においては、前記除菌収容具は、解体又は折りたたみ可能なフレームと、該フレームを被覆するシートとで構成され、必要に応じて解体又は折りたたみ可能であるものである。
【００１２】
請求項５においては、前記オゾン発生器は各種殺菌効果を有する気体を発生可能に構成されるものである。
【００１３】
【発明の実施の形態】
次に、発明の実施の形態を説明する。
まず、本発明に係る除菌装置を備える第一実施例の除菌収容具について図１乃至図８により説明する。
図１は本発明の一実施例に係る除菌装置の全体的な構成を示す斜視図、図２は除菌収容具の内部構成を示す斜視図、図３は同じく正面図、図４は同じく右側面図、図５は同じく左側面図、図６は同じく平面図、図７は同じく底面図、図８は同じく背面図である。
【００１４】
図１に示すように、除菌収容具１はロッカー型に成形されたステンレス製の箱体であり、その上部に除菌装置２を備えている。除菌収容具１の前面には左右二枚の扉体３・４が配されており、左側の扉体３は、その左側端部を上下に三つの蝶番５・５・５にて本体に枢支されており、右側の扉体４も同様に、その右側端部を上下に三つの蝶番５・５・５にて本体に枢支されている。そして、左右の扉体３・４には、それぞれ高さ方向中心位置に回転ラッチハンドル６・６を固設しており、該回転ラッチハンドル６・６を取手として扉の開閉を行えるようにしている。
【００１５】
図２に示すように、前記扉体３・４の内側にはゴム等の弾性部材で構成されるガスケット７が周設されており、除菌収容具１内部の気密性を保持できるようにしている。また、除菌収容具１の内部には円筒状のハンガーパイプ８等の吊り下げ用杆材と履物やその他小物等を載せるための台となる靴載せ台９を内設している。ハンガーパイプ８は除菌収容具１内部の左右側面に固設したステー１０・１０に固定されて、除菌装置２のやや下方で、左右方向に横架されている。靴載せ台９は、細い丸棒を繋ぎ合わせて棚状に形成して、底板１２上に載置されている。
【００１６】
また、除菌装置２が備えられる除菌収容具１上部と、除菌収容具１の内部とを仕切る天板１３には、複数（本実施例では４箇所）通気孔１１ａ・１１ｂ・１１ｃ・１１ｄが設けられ、該通気孔１１ａ・１１ｂ・１１ｃ・１１ｄには多数の孔が穿孔されたメッシュを配置している。そして、該通気孔１１ａ・１１ｂ・１１ｃ・１１ｄを介して、上部の除菌装置２が除菌収容具１内部と連通するようにしており、除菌装置２内部に備えるオゾン発生器３４（図１１）から発生されたオゾンは、該通気孔１１ａ・１１ｂ・１１ｃ・１１ｄより除菌収容具１内部に入るようにしている。また、除菌収容具１内部に溜まったオゾンを前記通気孔１１ａ・１１ｂ・１１ｃ・１１ｄを介して回収するようにしているのである。
このように、除菌装置２より発生されたオゾンを前記通気孔１１ａ・１１ｂ・１１ｃ・１１ｄを介して除菌収容具１内部に供給して、除菌収容具１内に収納した白衣、靴、やその他医療機器をオゾンで燻蒸して除菌及び脱臭を行うようにしているのである。
【００１７】
また、図６に示すように、除菌収容具背面にはプラグコード１４を延設しており、該プラグコード１４より電力を供給するようにしている。
【００１８】
次に、除菌装置２が備えられる除菌収容具１の上部の構成について説明する。図９は運転表示部１５を示す除菌収容具の上部拡大図、図１０はリモコン本体の平面図、図１１は除菌装置の構成を示す除菌収容具の上部断面図である。
図９に示すように、除菌収容具１上部の前面には運転表示部１５とリモコン受信部２０が設けられている。該運転表示部１５は文字表示灯１６、除菌作動表示具（以下赤ランプ）１７、除菌非作動表示具（以下緑ランプ）１８、残分表示部１９より構成されている。
【００１９】
文字表示灯１６は、「脱臭殺菌中」と表記された文字盤と、該文字盤の後部に配設されて光を照射するランプ等のバックライトで構成されている。バックライトは後述するＣＰＵ（制御部）３０の制御により、除菌装置２が作動すると点灯するような構成として、文字盤に光を照射するようにしている。そして、バックライトより光が照射されると、文字盤が緑色に光り「脱臭殺菌中」の文字部分が白色に光るようにしている。このように、除菌装置作動中には「脱臭殺菌中」の文字がはっきりと照らし出され、除菌装置の作動・非作動を外部から一目で認識できるようにしている。
【００２０】
また、赤ランプ１７及び、緑ランプ１８は除菌収容具１の上部前面より突出しており、ＣＰＵ３０の制御により除菌装置２作動中は赤ランプ１８が点灯し、除菌装置２が非作動であれば緑ランプ１９が点灯するようにしている。
残分表示部１９はＣＰＵ３０の制御に従って除菌作業の残り時間を表示するようにしている。
このような運転表示部１５の構成より、除菌装置２が作動中であるか、非作動であるかを外部から確認できるとともに、常に残り作業時間を確認することが可能となっているのである。
【００２１】
また、リモコン受信部２０は、図１０に示すような、リモコン本体２１から送信された電波を受信する。リモコン本体２１は、運転ボタン２２、停止ボタン２３、３０分運転ボタン２４、６０分運転ボタン２５（またはタイマー設定ダイヤル）を備えている。そして、各ボタンの操作により入力された情報は、リモコン本体２１の先端部に設けたリモコン発信部２６から送信され、除菌収容具１本体のリモコン受信部２０で受信される。
リモコン受信部２０より受信した情報はＣＰＵ３０に伝達されて、該ＣＰＵ３０はリモコン本体２１にて入力された情報に基づいて各装置の制御を行うようにしている。なお、除菌収容具１本体には運転及び停止のコントロールを行うための操作部を設けておらず、リモコン本体２１のみで操作可能としている。
【００２２】
また、前述したＣＰＵ３０は図１１に示すように、除菌収容具１の上部の内部に備えられているものである。
ＣＰＵ３０はリモコン操作により送信された情報を、リモコン受信部２０より受信して運転・停止、または３０分もしくは６０分の運転を判断して、除菌装置２の動作・非動作を制御するようにしている。また、ＣＰＵ３０では運転表示部１５の制御及び、除菌装置の運転・停止の制御を行う。
【００２３】
ここで、除菌装置２の内部構成について詳しく説明する。
図１１に示すように、除菌装置２は直方体のケース３５内の前後方向略中心位置に中仕切板３１を立設しており、該仕切板３１によって層が二分割されて二層式に形成されている。本実施形態においては、前記中仕切板３１より前側の層をオゾン撹拌層３２とし、後側の層をオゾン分解層３３としている。そして、ケース３５と中仕切板３１とに囲まれたオゾン撹拌層３２と、オゾン分解層３３とは完全に別層となっており、お互いの層内の気体が混合されないようにしている。
【００２４】
オゾン撹拌層３２側の左右一側の前壁面にはオゾン発生器３４が着設されており、該オゾン発生器３４より発生されるオゾンをオゾン撹拌層３２内へ供給できるようにしている。オゾン発生器３４のオゾン発生原理は沿面放電式を利用している。該オゾン発生器３４には小型ヒータを内蔵して除湿を行っており、オゾンの発生効率を高めているものである。
【００２５】
また、オゾン撹拌層３２の左右両端の下面には除菌収容具１の内部と連通する通気孔１１ａ・１１ｂが穿設されている。該通気孔１１ａ・１１ｂはそれぞれ小径の孔を複数穿孔してメッシュを配置している。そして、左右他側（右下面に穿孔された通気孔１１ａのやや左側）には撹拌ファン３６を設けており、通気孔１１ａを介して除菌収容具１内部の空気を吸い込んで、左下面の通気孔１１ｂへ向けて送風する。また、前記オゾン発生器３４は左下面に形成された通気孔１１ｂの上方に配設されており、撹拌ファン３６からの送風によって、該通気孔１１ｂから除菌収容具１内にオゾンが送り込まれるようにしている。
【００２６】
また、オゾン分解層３３の左右両端の下面にも、オゾン撹拌層３２と同様に通気孔１１ｃ・１１ｄが穿孔されている。そして、左下面に穿孔される通気孔１１ｃのやや右側にはハニカム状に形成されたオゾン分解触媒３７と窒素酸化物吸収剤３８とが配設されている。オゾン分解触媒３７には、例えばマンガン酸化物や二酸化チタンや酸化銅を使用し、窒素酸化物吸収剤３８には、例えば水酸化カルシウムや活性炭を使用するものである。
また、右下面に穿孔された通気孔１１ｄのやや左側には吸引ファン３９が配設されており、該吸引ファン３９にて左側の通気孔１１ｃから除菌収容具１内の空気を吸引し、オゾン及び窒素酸化物を含有した空気を、前記オゾン分解触媒３７と窒素酸化物吸収剤３８にて浄化し、綺麗になった空気を吸引ファン３９にて通気孔１１ｄより除菌収容具１内に戻すようにしているのである。
【００２７】
そして、除菌装置は、オゾン撹拌層３２を機能させるオゾン攪拌運転モードと、オゾン分解層３３でオゾンを分解させるオゾン分解運転モードからなる一連の運転モードを実行するためのＣＰＵ３０を備え、該ＣＰＵ３０は、予め設定された運転時間の経過後に、自動的に除菌装置の運転を停止させるようになっている。
具体的には、オゾン撹拌層３２によってオゾンを除菌収容具１内に送り込む時間は３０分間または６０分間と決定しており、リモコン本体２０で何れかの時間を選択して入力するとＣＰＵ３０が認識してオゾン撹拌層３２へ命令する。
そして、３０分間もしくは６０分間のオゾン撹拌層３２の処理が終了すると、オゾン分解層３３が１０分間動作するように制御される。つまり、３０分間の除菌作業を選択すると計４０分間の作業時間となり、６０分間の除菌作業を選択すると計７０分間の作業時間となる。
【００２８】
以上のような除菌装置２の構成において、リモコン本体２０を操作して除菌処理開始すると、まず、オゾン撹拌層３２の撹拌ファン３６とオゾン発生器３４が作動して３０分間もしくは６０分間、除菌収容具１内にオゾンを供給し撹拌する。この時、オゾン分解層３３は停止した状態である。そして、オゾン撹拌層３２の処理にて除菌収容具１内部の処理対象物は燻蒸殺菌される。
３０分、もしくは６０分が過ぎるとオゾン撹拌層３２は停止して、オゾン分解層３３の吸引ファン３９が作動し、除菌収容具１内に散布されたオゾンを含んだ空気を吸引回収して浄化するのである。そして、１０分間オゾン分解層３３が作動して、除菌収容具１内のオゾンが全て浄化され、全ての除菌処理が終了するのである。
【００２９】
このようにして、高濃度のオゾンで除菌収容具１内に収納した除菌処理対象物を確実に除菌できるとともに、放出したオゾンを確実に回収することができるのである。そして、オゾンを外部に漏らすことがないため人体への影響を懸念することがないのである。
【００３０】
次に、本発明の除菌装置の第二実施例である室内除菌装置について説明する。図１２は第二実施例の室内除菌装置の全体構成を示す斜視図、図１３は同じく室内除菌装置の正面図、図１４は同じく右側面図、図１５は同じく左側面図、図１６は同じく平面図、図１７は同じく底面図、図１８は同じく背面図、図１９はリモコン本体４０の平面図である。
【００３１】
図１２乃至図１８に示すように、室内除菌装置５０は直方体形状に成形され、酸化しにくいステンレス等の材質で形成されている。室内除菌装置５０の前面上部には第一実施例と同様に文字表示灯５１、赤ランプ５２、緑ランプ５３を備え、室内除菌装置５０が作動中あるいは非作動であるかを外部から一目で認識できるようにしている。また、緑ランプ５３と同じ高さ位置でやや右よりにリモコン受信部５４を設けており、該リモコン受信部５４は外部に露出されて、リモコン本体４０（図１９）より送信される情報を受信できるようにしている。なお、本実施例の室内除菌装置５０は稼動時間が１２時間と、連続運転の二パターンであるため、第一実施例の除菌収容具１に備えた残分表示部は備えていないものである。
【００３２】
前記リモコン本体４０は、図１９に示すように、室内除菌装置５０の運転・停止を操作する「運転」ボタン４１・「停止」ボタン４２と、室内除菌装置５０内部に備える吸引ファンの風量を調節する「強」ボタン４３・「弱」ボタン４４と、運転時間を１２時間及び連続稼動に設定する「１２」ボタン４５・「連続」ボタン４６と、を備えている。また、リモコン本体４０の先端部にはリモコン発信部４７を備え、前記六つのボタンを操作すると、該リモコン発信部４７よりデータが送信されるようにしている。
【００３３】
また、室内除菌装置５０の下部と前記文字表示灯５１の下部にはそれぞれ通気孔５０a・５０ｂを設けている。室内除菌装置５０下部の通気孔５０aは小径の孔を複数穿孔してメッシュ状に形成されている。また、室内除菌装置５０の上部であって文字表示灯５１の下部に設けられた通気孔５０ｂには長円形の孔を複数穿孔された長方形状のフレーム５６と、該フレーム５６に保持されるフィルター５７とが配されている。フレーム５６は四隅をビスにて固定されており、ビスを外すことで取りはずしが可能であり、フィルター５７の付替えが容易に行えるようにしている。
【００３４】
そして、室内除菌装置５０の上部に設けた通気孔５０ｂより外気を吸引し、室内除菌装置５０内部にて除菌された空気は、下部側の通気孔５０ａより排出するようにしている。なお、上部側の通気孔５０ｂから外気を吸引する際に、フィルター５７を通過するため室内除菌装置５０の内部への塵埃等の不純物が侵入することがないものである。
【００３５】
また、図１８に示すように、室内除菌装置５０の背面下部にはプラグコード４９を延設しており、該プラグコード４９より電力を供給し、各装置の動力源としているものである。
【００３６】
次に、室内除菌装置５０の内部構成について説明する。
図２０は室内除菌装置の内部構成を示す正面図、図２１は同じく側断面図である。
図２０、及び、図２１に示すように、室内除菌装置５０内部はオゾン発生器６０が載置される天板６４と、室内除菌装置５０内部の上下に水平に固設された五つの棚板によって五層に形成されている。
【００３７】
前記天板６４は文字表示灯５１と上部側の通気孔５０ｂの間の高さ位置に配され、該天板６４の前後左右の端部は溶接等で装置５０の内面に固設されている。また、該天板６４上の後部側には開口部を設け、該開口部位置に合わせてオゾン発生器６０が載置されている。オゾン発生器６０は第一実施例のものと同様に沿面放電方式として、小型ヒータを内装したものである。
【００３８】
また、上部側の通気孔５０ｂの下方から、下部側の通気孔５０ａの上方にかけて五つの棚板が配されており、最上部の第一棚板６６は、その前部と両側部を装置５０の内面に固設し、後部側は開放して装置内の空気が下方へ流れるようにしている。第一棚板６６の下方に配される第二棚板６７は、その後部と両側部を装置内面に固設され、前部側が開放されている。そして、前記第二棚板６７の下方に配される第三棚板６８は第一棚板６６と同様に構成され、第三棚板６８の下方に配される第四棚板６９は第二棚板６７と同様の構成としている。
最下部に配される第五棚板６５は、前後左右端部を装置内面に固定され、その後部側に開口部を設けている。そして、該開口部の位置に合わせて下面にオゾン分解触媒６２及び、窒素酸化物吸収剤６３を着設している。該オゾン分解触媒６２及び、窒素酸化物吸収剤６３は第一実施例で使用したものと同様にハニカム状に形成されたものである。
【００３９】
このように構成される天板６４及び五つの棚板において、天板６４と第一棚板６６とに挟まれた空間部を第一層７１、第一棚板６６及び第二棚板６７に挟まれた空間部を第二層７２、第二棚板６７及び第三棚板に挟まれた空間部を第三層７３、以下同様に第四層７４、第五層７５として、室内除菌装置５０の内部を五層構造としているのである。
【００４０】
以上のような内部構成を有する室内除菌装置５０において、リモコン操作により運転が開始されると、上部側の通気孔５０ｂの内部側に設けた吸引ファン６１により外気を装置内部に吸引する。
装置内部にはオゾン発生器６０より発生されたオゾンが充満しており、装置内部に吸引された空気はオゾンによって殺菌処理される。そして、殺菌処理において、吸引ファン６１にて装置内部に吸引された空気は第一層７１から第五層７５に至る間に前後移動しながら下方へ流れるため、空気の流れが緩やかになり、オゾンによって処理できる時間も長くなり、斑なく処理することができるのである。また、装置外にオゾンを放出することがないので高濃度のオゾンで強力に除菌処理を行うことができるのである。
【００４１】
そして、オゾンと、オゾン処理によって生じた酸性ガスは第五棚板６５の下面に固設されたオゾン分解触媒６２と窒素酸化物吸収剤６３とによって処理され、綺麗な空気のみが装置外部へ放出されるのである。
なお、本実施例の室内除菌装置５０は天板６４及び五つの棚板６５・６６・６７・６８・６９で装置内部を五層式に構成したものであるが、層の数は限定されるものではなく、また、ラビリンス状に形成することでも同様の効果を得られるのである。
【００４２】
次に、本発明の除菌装置の第三実施例である簡易用除菌装置について説明する。
図２２は第三実施例の簡易用除菌装置の全体構成を示す斜視図、図２３は同じく簡易用除菌装置の正面図、図２４は同じく右側面図、図２５は同じく左側面図、図２６は同じく平面図、図２７は同じく底面図、図２８は同じく背面図である。
【００４３】
図２２乃至図２８に示すように、簡易用除菌装置８０はステンレス製の直方体形状を為し、その上面には取手８１を固設して持ち運び可能な構成としている。また、簡易用除菌装置８０には、前面上部に前実施例と同様に赤ランプ８２、緑ランプ８３を突設するとともに、スイッチ８４を突設している。前記赤ランプ８２、及び、緑ランプ８３は簡易用除菌装置８０の内部上部に設けられるＣＰＵにて制御され、除菌処理の開始とともに赤ランプ８２が点灯し、除菌処理中は該赤ランプ８２が点灯し続け、除菌処理が終了するとともに赤ランプ８２が消灯し、緑ランプ８３が点灯するようにしている。
スイッチ８４では「ＯＮ」と「ＯＦＦ」の操作を行うものである。
【００４４】
簡易用除菌装置８０の前面下部には小径の孔を複数穿孔してメッシュ状に形成された通気孔８０ａ・８０ｂを左右に設けており、右側の通気孔８０ｂはオゾン放出用の通気孔であり、左側の通気孔８０ａは回収したオゾンを分解した後の空気を放出する通気孔としている。
【００４５】
また、図２８に示すように、簡易用除菌装置８０の背面下部には前面と同様にメッシュ状に形成された通気孔８０ｃ・８０ｄを設けており、該通気孔８０ｃ・８０ｄを被覆するようにフィルター８５を配置している。該フィルター８５は前記通気孔８０ｃ・８０ｄの上下に固設したフィルター受け金具８６・８６に保持されている。なお、簡易用除菌装置８０の前面に設けた通気孔８０ａと通気孔８０ｃとが同側に対応し、通気孔８０ｂと８０ｄとが同側に対応するものである。
【００４６】
次に、簡易用除菌装置８０の内部構成について説明する。
図２９は簡易用除菌装置の内部構成を示す正面図、図３０は同じく平面図、図３１は右側面図である。
図２９に示すように、簡易用除菌装置８０内部の左右方向中心位置には仕切板９０が立設され、該仕切板９０を隔てて右側にはオゾン撹拌層９１が形成され、左側にはオゾン分解層９２が形成されている。また、簡易用除菌装置８０上部には天板９３が固設されている。該天板９３にはオゾン撹拌層９１側である右側に開口部を穿設しており、該開口部の位置に合わせてオゾン発生器８８が配されている。また、該天板９３上に図示せぬＣＰＵを載置しており、該ＣＰＵにてオゾン撹拌層９１のオゾン発生装置８８、ファン９４及び、オゾン分解層９２のファン９８及び、赤ランプ８２、緑ランプ８３等の制御を行うようにしている。
そして、オゾン撹拌層９１とオゾン分解層９２とは仕切板９０と天板９３によって完全に隔離されているため、オゾン撹拌層９１内の気体と、オゾン分解層９２内の気体とが混合しないものである。
【００４７】
また、図３０及び図３１に示すように、オゾン撹拌層９１の背面側には撹拌ファン９４が設けられており、該撹拌ファン９４によって背面の通気孔８０ｄより空気を吸引するとともに、オゾン発生器８８にて発生したオゾンを前面の通気孔８０ｂより放出するのである。
オゾン分解層９２の背面側にはオゾン分解触媒９５と窒素酸化物吸収剤９６を配し、その前方には吸引ファン９８を設けている。そして、該吸引ファン９８により、オゾンを含んだ外気を通気孔８０ｃからオゾン分解層９２内に吸引するのである。
【００４８】
以上のように構成される簡易用除菌装置８０において、スイッチ８４を「ＯＮ」として除菌処理の開始操作を実行すると、まず、オゾン撹拌層９１内の撹拌ファン９４とオゾン発生器８８とが作動し、フィルター８５を介して通気孔８０ｄより空気を吸入するとともに、オゾン発生器８８より発生されたオゾンを通気孔８０ｂより外部へ撹拌して放出する。そして、該簡易用除菌装置を設置した室内を除菌、脱臭するのである。オゾン撹拌層９１による除菌処理時間はＣＰＵにて３０分、もしくは６０分に制御される。
【００４９】
規定時間が過ぎると、オゾン撹拌層９１の撹拌ファン９４とオゾン発生器８８は停止して、オゾン分解層９２の吸引ファン９８が作動する。そして、オゾン分解層９２の吸引ファン９４にて、オゾンを含んだ外気をフィルター８５を介して通気孔８０ｃよりオゾン分解層９２内部に吸引し、オゾン分解触媒９５、及び、窒素酸化物吸収剤９６にてオゾンを分解、有害ガスを除去する。その後通気孔８０ａより綺麗な空気を放出するのである。オゾン分解層によるオゾン回収処理時間は、オゾン撹拌層９１での除菌処理時間に関わらず１０分間行われ、装置は停止する。
【００５０】
以上のように簡易用除菌装置８０をオゾン撹拌層９１とオゾン分解層９２で二層式に構成したので、該装置のみでオゾンの発生とオゾンの回収が行えるとともに、小型で持ち運び可能に構成しているため、密閉可能なケースがあればどのような場所であれ、除菌を行うことが可能となるのである。
【００５１】
なお、以上において説明した三実施例の除菌装置において、それぞれに内設されるオゾン発生器は、各種殺菌作用を有する気体を発生させる装置に置換することも可能である。例えば、マイナスイオン発生器等である。
マイナスイオンはオゾンほどの殺菌力は有していないものの、殺菌作用を有しており空気汚染防止や煙草の煙や不快な匂いを分解・消臭する作用を持つ。
【００５２】
次に、簡易用除菌装置８０の使用例として、除菌収容具に取り付ける例について説明する。
図３２は除菌収容具の斜視図である。
図３２に示す除菌収容具１００は、長方形の底板１０１と、該底板１０１の四隅から上方へ垂設される四本のサイドフレーム１０２・１０２・１０２・１０２と、該サイドフレーム１０２・１０２・１０２・１０２の上端部をそれぞれ連結する天井フレーム１０３とで構成される本体フレームに、塩化ビニール等の材質で形成されるシート１０６を被覆して構成されている。
【００５３】
前記本体フレームの底板１０１とサイドフレーム１０２は、何れか一方に凹部を設け、他方に凸部を突出して嵌め込み式に固定しており、容易に脱着できるようにしている。また、サイドフレーム１０２と、上部の天井フレーム１０３との連結部も、凹凸を設けて嵌め込み式に構成され容易に取りはずすことが可能となっている。このように、容易に解体・組立を行える構成として持ち運びを可能にしている。
【００５４】
そして、このように構成される本体フレームの周囲にはシート１０６が被覆されている。該シート１０６は本体フレームの外周形状に合致するように直方体に成形されている。また、該シート１０６の前方側（収納入口側）はファスナーにて閉じられた構成としており、除菌収容具１００内に除菌対象物を収納する際に、楽に作業を行えるものとしている。
また、該ファスナーにて閉じられるシート１０６の前方側の表面には、ポケットを設け、収納物に関するメモ等を入れておくことが可能となっている。
【００５５】
以上のように構成される除菌収容具１００において、天井フレーム１０３には除菌装置載置台１０８を固設しており、該除菌装置載置台１０８に第三実施例の簡易用除菌装置８０を載置してオゾンを発生・回収するものである。なお、除菌収容具は本体フレームとシート１０６にて密閉されているため、簡易用除菌装置８０より発生されたオゾンが室外に流出することはなく、高濃度のオゾンで強力に除菌処理をおこなうことができる。
なお、本実施例の除菌収容具１００は、図３１のように車椅子１０５が楽に収納できる大きさに設計しているものであるが、除菌収容具の大きさはこれに限らず、体温計、血圧計、心拍出量計、血流計、聴診器、その他の医療用具の大きさに合わせて小さく設計してもよい。
【００５６】
次に、除菌収容具の第二実施例について説明する。
図３３は第二実施例の除菌収容具の全体構成を示す斜視図、図３４は第二実施例の除菌収容具のフレーム構造を示す概略図である。
第二実施例の簡易殺菌室１１０は、傘状に伸縮するフレーム部１１１と、該フレーム部１１１に被覆されるシート１１２より構成されている。そして、簡易殺菌室１１０はベッド２００等の大きくて動かし難いものを除菌処理できるように、ローラを設けて移動可能に構成するとともに、フレーム部１１１を最大に広げた時にベッドの外形よりも大きくなるように構成されている。また、密閉空間を形成するため、開いた状態のシート１１２の最下部を包囲するように密閉シート１１２ｂが設けられている。
【００５７】
図３３、図３４に示すように、フレーム部１１１は、両側部に二つずつ設けられるローラ１１３・１１３（図３３）と、該ローラを支持する前後フレーム１１４・１１４と、二つの前後フレーム１１４・１１４に懸架されて略「コ」字形状に形成される三本のパイプ１１６・１１５・１１６と、該パイプ１１６・１１５・１１６に懸架される二本の連結体１２２・１２２とで構成している。
【００５８】
前記三本のパイプの中央に配置される固定パイプ１１５は前後フレーム１１４の前後中央上面に垂直に固設され、該固定パイプ１１５の両足部には、該固定パイプ上を摺動可能な移動体１２０が設けられている。
該固定パイプ１１５の両側に配置される移動パイプ１１６・１１６は前後フレーム１１４の前後両側上面に固設された支点体１１９・１１９に回動自在に枢支されている。移動パイプ１１６・１１６の両足部にも、該移動パイプ上を摺動可能な移動体１２１・１２１をそれぞれ設けている。
固定パイプ１１５上に上下摺動自在に配される移動体１２０と、移動パイプ１１６・１１６上に摺動自在に配される移動体１２１・１２１には連結体１２２・１２２が懸架され、該連結体１２２・１２２の両端部は移動体１２０及び、移動体１２１・１２１に回転可能に枢支されている。
また、固定パイプ１１５の天井部には簡易用除菌装置８０を吊り下げるためのフック１２３が固設されている。または移動体１２０をピン等で固定できるようにしている。
【００５９】
以上のように構成されるフレーム部１１１において、殺菌装置として使用する際には、固定パイプ１１５上の移動体１２０を下方へ下ろす。そして、該移動体１２０に枢支された連結体１２２・１２２の固定パイプ１１５側が下方に下がるとともに、該連結体１２２・１２２の逆端部は外側に押しでて、移動パイプ１１６側の移動体１２１を外側に移動させながら移動パイプ１１６が外側に倒れ、そして傘状に開くのである。
また、開いた移動パイプ１１６・１１６を収納する際には、固定パイプ１１５側の移動体１２０を上方へ持上げる。そして、前述の傘状に開く場合と逆手順で移動パイプ１１６・１１６は垂直位置に戻るのである。
【００６０】
そして、このように構成されるフレーム部１１１にはシート１１２が被覆されている。該シート１１２の裾部は、フレーム部１１１にシート１１２をかけたときに隙間ができないように長めに成形している。
また、シート１１２をフレーム部１１１に被覆した状態におけるシート１１２の上部位置には、窓部１１２aを設けており、除菌収容具１１０内の簡易用除菌装置８０が作動中であるか、もしくは停止中であるかを、シート１１２を開くことなく確認することができるようにしているものである。
【００６１】
以上のように、除菌収容具１１０を構成したのでベッド２００等の動かし難いものでもその場で除菌処理することが可能となるのである。また、折り畳んで小さく収縮し、また、ローラ１１３・１１３により移動可能であるため、必要に応じて病室まで移動させ、除菌収容具を形成することで除菌・殺菌処理を行い、終了後は、他の場所に移動させることができ、病室などスペースが限られる場所においての除菌・殺菌処理に特に有効である。
【００６２】
【発明の効果】
本発明は、以上のように構成したので、以下に示すような効果を奏する。
【００６３】
即ち、請求項１に示すごとく、オゾン発生器にて発生させたオゾンを撹拌ファンにて室内に供給して撹拌するためのオゾン撹拌層と、除菌処理後のオゾンを分解する部材と吸引ファンを内装したオゾン分解層とを有する除菌装置であって、前記オゾン撹拌層とオゾン分解層とを除菌装置のケース内に設けた仕切体で仕切り別層に設けたので、
オゾン撹拌層にてオゾン濃度を高め、強力に除菌・脱臭が行えるとともに、オゾン分解層にて、オゾンや、窒素酸化物を分解して酸素として外部へ放出でき、高濃度のオゾンを短時間で確実に回収して分解することが可能であり、残留オゾンの心配がない。
【００６４】
請求項２に示すごとく、前記除菌装置は、オゾン攪拌運転モードと、オゾン分解運転モードからなる一連の運転モードを実行するための制御装置を備え、該制御装置は、予め設定された運転時間の経過後に、自動的に除菌装置の運転を停止させるので、
除菌・殺菌処理の操作については、装置を利用する誰もが容易、しかも誤動作なく利用できる。
【００６５】
請求項３に示すごとく、請求項１又は請求項２のいずれか１項に記載の除菌装置を備える除菌収容具であって、該除菌収容具は、除菌対象物品を収容する密閉空間を形成するので、
オゾン特有の臭いと、残留オゾンによる人体への悪影響といった問題が生じることもなく、高濃度オゾンの環境下にて、確実に除菌対象物品を除菌・殺菌することができる。
【００６６】
請求項４に示すごとく、前記除菌収容具は、解体又は折りたたみ可能なフレームと、該フレームを被覆するシートとで構成され、必要に応じて解体又は折りたたみ可能であるので、
病室などスペースが限られる場所においても、必要に応じて除菌収容具を形成することで除菌・殺菌処理を行うことができる。
【００６７】
請求項５に示すごとく、前記オゾン発生器は各種殺菌効果を有する気体を発生可能に構成されるので、
除菌対象物品に対応して発生する気体を変化させることが可能となる。特に、室内除菌においてはマイナスイオンを発生することで、室内除菌とともに、新建材より気化して発生するホルムアルデヒド等の有害物質を除去することができる。
【図面の簡単な説明】
【図１】本発明の一実施例に係る除菌装置の全体的な構成を示す斜視図。
【図２】除菌収容具の内部構成を示す斜視図。
【図３】同じく正面図。
【図４】同じく右側面図。
【図５】同じく左側面図。
【図６】同じく平面図。
【図７】同じく底面図。
【図８】同じく背面図。
【図９】運転表示部を示す除菌収容具の上部拡大図。
【図１０】リモコン本体の平面図。
【図１１】
除菌装置の構成を示す除菌収容具の上部断面図。
【図１２】第二実施例の室内除菌装置の全体構成を示す斜視図。
【図１３】同じく室内除菌装置の正面図。
【図１４】同じく右側面図。
【図１５】同じく左側面図。
【図１６】同じく平面図。
【図１７】同じく底面図。
【図１８】同じく背面図。
【図１９】リモコン本体の平面図。
【図２０】室内除菌装置の内部構成を示す平面図。
【図２１】同じく側面断面図。
【図２２】第三実施例の簡易用除菌装置の全体構成を示す斜視図。
【図２３】同じく簡易用除菌装置の正面図。
【図２４】同じく右側面図。
【図２５】同じく左側面図。
【図２６】同じく平面図。
【図２７】同じく底面図。
【図２８】同じく背面図。
【図２９】簡易用除菌装置の内部構成を示す正面図。
【図３０】同じく平面図。
【図３１】同じく右側面図。
【図３２】除菌収容具の斜視図。
【図３３】第二実施例の除菌収容具の全体構成を示す斜視図。
【図３４】第二実施例の除菌収容具のフレーム構造を示す概略図。
【符号の説明】
３１  仕切
３２  オゾン撹拌層
３３  オゾン分解層
３４  オゾン発生器
３６  撹拌ファン
３７  オゾン分解触媒
３８  窒素酸化物吸収剤
３９  吸引ファン
【図１】
2004201788.tif 000003
【図２】
2004201788.tif 000004
【図３】
2004201788.tif 000005
【図４】
2004201788.tif 000006
【図５】
2004201788.tif 000007
【図６】
2004201788.tif 000008
【図７】
2004201788.tif 000009
【図８】
2004201788.tif 000010
【図９】
2004201788.tif 000011
【図１０】
2004201788.tif 000012
【図１１】
2004201788.tif 000013
【図１２】
2004201788.tif 000014
【図１３】
2004201788.tif 000015
【図１４】
2004201788.tif 000016
【図１５】
2004201788.tif 000017
【図１６】
2004201788.tif 000018
【図１７】
2004201788.tif 000019
【図１８】
2004201788.tif 000020
【図１９】
2004201788.tif 000021
【図２０】
2004201788.tif 000022
【図２１】
2004201788.tif 000023
【図２２】
2004201788.tif 000024
【図２３】
2004201788.tif 000025
【図２４】
2004201788.tif 000026
【図２５】
2004201788.tif 000027
【図２６】
2004201788.tif 000028
【図２７】
2004201788.tif 000029
【図２８】
2004201788.tif 000030
【図２９】
2004201788.tif 000031
【図３０】
2004201788.tif 000032
【図３１】
2004201788.tif 000033
【図３２】
2004201788.tif 000034
【図３３】
2004201788.tif 000035
【図３４】
2004201788.tif 000036